(57)【要約】【課題】放送局が一時的、あるいは恒常的に誤ったシステム時刻を送信した場合でも正しい時刻情報を保持できる情報受信装置を提供する。【解決手段】放送受信装置１００は、放送信号受信手段１０１と、放送信号から時刻情報を抽出する時刻情報抽出手段１０２と、システム時刻を管理するシステム時刻管理手段１０３と、経過時間を測定する経過時間測定手段１０４と、時刻情報の確度と取得した時刻情報とを放送局ごとに格納する時刻情報履歴記録手段１０５と、時刻情報抽出手段１０２とシステム時刻管理手段１０３と経過時間測定手段１０４とによって測定された時間をもとに抽出された時刻情報の確度を判定する時刻情報確度判定手段１０６と、判定された確度をもとにシステム時刻を更新するか否かを判断し更新するシステム時刻更新手段１０７とを具備した。【選択図】図１
2008128801.tif 000002
【特許請求の範囲】
【請求項１】
放送信号受信手段と、前記放送信号受信手段で受信した放送信号から時刻情報を抽出する時刻情報抽出手段と、システム時刻を管理するシステム時刻管理手段と、経過時間を測定する経過時間測定手段と、時刻情報の確度と取得した時刻情報とを放送局ごとに格納する時刻情報履歴記録手段と、前記時刻情報抽出手段によって抽出された時刻情報と前記システム時刻管理手段によって管理されたシステム時刻情報と前記経過時間測定手段によって測定された経過時間をもとに抽出された時刻情報の確度を判定する時刻情報確度判定手段と、前記時刻情報確度判定手段によって判定された確度をもとにシステム時刻を更新するか否かを判断し更新するシステム時刻更新手段を具備することを特徴とする放送受信装置。
【請求項２】
前記時刻情報確度判定手段は前記時刻情報の確度を判定するにあたって前記時刻情報履歴記録手段に記録されている時刻情報の履歴をさらに用い、前記システム時刻更新手段は前記時刻情報確度判定手段が算出した確度情報がしきい値以上になった場合にシステム時刻の更新を行うことを特徴とする、請求項１に記載の放送受信装置。
【請求項３】
前記経過時間測定手段は最終時刻情報抽出時からの経過時間を放送局ごとに持ち、前記時刻情報確度判定手段は各放送局の最終時刻情報抽出時の時刻情報および経過時間をもとに情報の確度を判定することを特徴とする、請求項１乃至請求項２に記載の放送受信装置。
【発明の詳細な説明】
【技術分野】
【０００１】
本発明は、デジタル放送を受信する放送受信装置に関する。
【背景技術】
【０００２】
現在、デジタル放送の普及が進んでおり、日本では２０１１年７月に、世界各国でもそれぞれ期限を定めてテレビジョン放送への完全移行を計画している。
【０００３】
デジタル放送において、時刻情報は放送信号内に含まれるデータとして送信される。たとえば、日本の放送規格においては電波産業会（ＡＲＩＢ）が定めるＡＲＩＢ  ＳＴＤ−Ｂ１０に定義されているＴＤＴ（Ｔｉｍｅ  ａｎｄ  Ｄａｔｅ  Ｔａｂｌｅ）およびＴＯＴ（Ｔｉｍｅ  Ｏｆｆｓｅｔ  Ｔａｂｌｅ）の形で時刻情報を放送信号に重畳し送信する。放送受信装置は、放送信号に重畳された時刻情報を取り出してシステム時刻として設定することで、放送に連動した形での時刻表示や録画予約などの時刻に関連する各種機能を提供することができる。
【０００４】
また、欧州などいわゆるサマータイム（Ｄａｙｌｉｇｈｔ  Ｓａｖｉｎｇ  Ｔｉｍｅ）を導入している地域においては、サマータイムの切り替わり時期や切り替わり後の時差情報をＴＯＴに記述することによって、放送受信装置が自動的にサマータイムの切り替わりを行えるようにしている。
【０００５】
時刻情報の重畳は放送局が行っている。そのため、放送局が誤った時刻情報を付加する事態が発生した場合、放送受信装置のシステム時刻が誤って更新されてしまい、録画予約など、時刻に関連する機能が誤動作する恐れがある。この問題を解決するための方法として、たとえば特許文献１では複数の放送局から送信される時刻情報を受信し、現在時刻を類推する方法などが提案されている。
【特許文献１】特開２００２−１０７４７５号公報
【発明の開示】
【発明が解決しようとする課題】
【０００６】
しかしながら、特許文献１に記載の方法では、複数の放送局から取得する時刻情報に基づいた時刻推定を行っているが、たとえば特定の放送局における一時的な時刻情報の誤りに対応できないといった問題が存在する。また、特許文献１に記載の方法は、取得した時刻情報の中で最も進んだ時刻に設定するという方法をとっており、この方法ではある放送局から送信された時刻情報が誤って将来の時刻を指していた場合に、他の放送局が正しい時刻を送信していたとしても放送受信装置は誤った時刻を設定してしまうという問題がある。
【０００７】
本発明は、かかる状況に鑑み、誤った時刻情報が送信された場合でも時刻情報をより正確に保つ仕組みを提供するものである。
【課題を解決するための手段】
【０００８】
上記の課題を解決するために、本発明による放送受信装置は、放送信号受信手段と、前記放送信号受信手段で受信した放送信号から時刻情報を抽出する時刻情報抽出手段と、システム時刻を管理するシステム時刻管理手段と、経過時間を測定する経過時間測定手段と、時刻情報の確度と取得した時刻情報とを放送局ごとに格納する時刻情報履歴記録手段と、前記時刻情報抽出手段によって抽出された時刻情報と前記システム時刻管理手段によって管理されたシステム時刻情報と前記経過時間測定手段によって測定された経過時間をもとに抽出された時刻情報の確度を判定する時刻情報確度判定手段と、前記時刻情報確度判定手段によって判定された確度をもとにシステム時刻を更新するか否かを判断し更新するシステム時刻更新手段を具備した。
【発明の効果】
【０００９】
本発明により、放送局が誤った時刻情報を送信した場合にも正しい時刻情報を保つ仕組みを提供することが可能となり、録画予約などの時刻情報を利用する各種機能をより正確に運用することが可能となる。
【発明を実施するための最良の形態】
【００１０】
以下本発明を実施するための最良の形態について、図面を参照しながら説明する。
【００１１】
（実施の形態１）
図１は本発明の実施の形態１における放送受信装置の構成を示している。図１において、１００は本発明による放送受信装置を示している。１０１は放送信号を受信するための放送信号受信手段であり、指定された周波数の信号を受信する。なお、本発明において受信する信号は、衛星放送・地上波放送・ケーブル放送など、放送形態は特定しない。１０２は放送信号受信手段１０１で受信した放送信号から時刻情報を抽出する時刻情報抽出手段である。時刻情報抽出の方法としては、たとえばデジタル放送においてＴＯＴやＴＤＴを取得して時刻情報を抽出する方法などがあるが、今後新たな時刻情報抽出の方法が考案された場合はそれを使用してもかまわない。１０３はシステム時刻管理手段である。時刻管理の方法としては、マイコンが持っているタイマ機能を使用して、ある特定の時刻に設定された時刻情報をタイマが計測した時間情報を用いて更新していく方法などがある。１０４はある特定の時刻から経過した時間を測定する経過時間測定手段であり、システム時刻管理手段１０３と同等の機能を用いて実現することが可能である。１０５は時刻情報履歴記録手段であり、時刻情報抽出手段１０２で取得された時刻情報、経過時間測定手段１０４で測定された経過時間、および時刻情報の確度といった時刻情報確度の計測に必要な情報を記録する。ＦＬＡＳＨ  ＲＯＭやＨＤＤといった一般的に使用される記録媒体を使用すればよく、持ち運び可能な媒体であってもよい。１０６は時刻情報確度判定手段であり、時刻情報抽出手段１０２によって抽出された時刻情報、システム時刻管理手段１０３から読み出した現在時刻、経過時間測定手段１０４から読み出した経過時間、時刻情報履歴記録手段１０５から読み出した過去の時刻情報をもとに抽出された時刻情報の確度を判定する。判定方法の詳細については後述する。１０７はシステム時刻更新手段であり、時刻情報確度判定手段１０６で判定された時刻情報の確度を元に時刻情報更新の可否を判断し、時刻情報更新可能と判断した場合はシステム時刻管理手段１０３で管理している時刻情報を時刻情報抽出手段１０２から抽出された時刻情報に更新する。
【００１２】
実施の形態１における時刻情報履歴記録手段１０５に記録される時刻情報の例を図２に示す。放送局ごとに、時刻情報抽出手段１０２から抽出した時刻情報、時刻情報抽出手段１０２から時刻を抽出した時点のシステム時刻、前回の時刻情報抽出からの経過時間、および時刻情報の確度を記録している。なお、時刻情報確度判定手段１０６で時刻情報の確度を判定するために、これらの情報はある一定量の履歴を残しておく。また、当該放送局で時刻情報を受信した回数と正確な時刻情報を受信した回数も合わせて記録しておく。
【００１３】
ここで、実施の形態１における放送受信装置の時刻情報更新処理の手順を、図３を使用して説明する。はじめに、あるタイミングで時刻情報抽出手段１０２から時刻情報を抽出する。デジタルテレビ放送におけるＴＯＴ／ＴＤＴのように一定間隔、あるいは不定期な間隔で時刻情報が送信される場合は送信された情報を受信したタイミングで本時刻情報更新処理を実行すればよい。また、常に時刻情報が受信可能な環境下にある場合は、システムがある一定の間隔で本時刻情報更新処理を行ってもよい。時刻情報抽出手段１０２から時刻情報を抽出したら、システム時刻管理手段１０３から現在時刻を（Ｓ１０１）、経過時間測定手段１０４から前回の時刻情報更新処理を行った時刻からの経過時間（Ｓ１０２）をそれぞれ取得する。また、このときに次回の時刻情報更新処理に使用する経過時間情報の計測開始を経過時間測定手段１０４に指示する（Ｓ１０３）。
【００１４】
まず、システム時刻が設定されているかどうかを確認する（Ｓ１０４）。システムの立ち上げ直後など、システム時刻が設定されていない場合（Ｓ１０４でＹｅｓの場合）は受信した時刻情報を一旦正しいものと判断し、システム時刻更新手段１０７を用いてシステム時刻の更新を行い（Ｓ１０６）、時刻情報履歴記録手段１０５に取得時刻の履歴を追加する（Ｓ１０７）。
【００１５】
一方、システム時刻が既に設定されている場合（Ｓ１０４でＮｏの場合）は時刻情報抽出手段１０２で抽出した時刻情報とシステム時刻管理手段１０３から取得した現在時刻を比較する（Ｓ１０５）。両者が同じ値であれば（Ｓ１０５でＹｅｓの場合）、時刻情報抽出手段１０２から抽出された時刻情報は正しいと判定することが可能であり、システム時刻更新手段１０７による時刻情報の更新（Ｓ１０６）および時刻情報履歴記録手段１０５への履歴追加を行う（Ｓ１０７）。なお、このときの時刻情報判定においては、取得した時刻情報と現在時刻の差分がある一定の範囲内であれば同じ値と判定するといったマージンを持たせてもかまわない。
【００１６】
ここで、時刻情報抽出手段１０２で抽出した時刻情報と現在時刻が異なる場合（Ｓ１０５でＮｏの場合）、前回の時刻情報更新処理時に抽出した時刻情報と経過時間測定手段１０４から取得した、前回の時刻情報更新処理からの経過時間を足し合わせて、今回抽出した時刻情報と比較する（Ｓ１０８）。前回の抽出時刻情報および経過時間から算出された値と今回抽出した時刻情報の値が異なっている場合（Ｓ１０８でＮｏの場合）、今回抽出した時刻情報が誤っていると判断することが可能であり、時刻情報の更新は行わずに時刻情報履歴記録手段１０５への履歴追加のみを行う（Ｓ１０９）。逆に前回の抽出時刻情報および経過時間から算出された値と今回抽出した時刻情報の値が一致している場合（Ｓ１０８でＹｅｓの場合）、この段階での時刻情報の正確性を判断するのは困難であるため、一旦不確定情報と判断し、時刻情報の更新は行わずに時刻情報履歴記録手段１０５への履歴追加のみを行う（Ｓ１１１）。この後何回か時刻情報更新処理を行い、上記の状態が一定回数以上継続して発生した場合（Ｓ１１０でＹｅｓの場合）、不確定と判定していた時刻情報は正しい時刻情報であると判断することが可能であり、システム時刻更新手段１０７を用いて時刻情報の更新を行ったうえ（Ｓ１１２）で時刻情報履歴記録手段１０５に記録されている履歴の更新を行う（Ｓ１１３）。この際の時刻情報履歴の更新は図４のとおりである。すなわち、不確定としていた時刻情報は正しい時刻情報として更新され、それまで正しいと判断されていた時刻情報は実は誤った情報であると判断され、誤った情報として履歴の更新が行われる。
【００１７】
このように時刻情報の正確性を判定することにより、放送局から誤った時刻情報が送信された場合でもより正確な時刻情報を保つことが可能となる。
【００１８】
（実施の形態２）
図５は本発明の実施の形態２における時刻情報履歴記録手段１０５に記録される情報の例を示す。時刻情報の確度を数値で持っており、正確情報受信回数の代わりに平均情報確度を数値として持っている。それ以外の情報については実施の形態１における時刻情報履歴記録手段１０５に記録される情報と同じである。なお、数値の持たせ方は自由であるが、一例としては全く信用できない場合を０、完全に信用できる場合を１００として、０−１００の間で数値を持たせる方法がある。以下、この例をもとに時刻情報確度の算出例を記載する。なお、記載する数値の算出例はあくまでも一例であり、数値の算出方法が以下の例と一致していなくてもよい。
【００１９】
まず、システム時刻が設定されていない状態で時刻情報を受信した場合、受信した時刻情報の確度を５０に設定する。次に、続けて受信した時刻情報がシステム時刻と一致した場合は、連続して正確な時刻情報を受信した回数をＮとして、時刻情報の確度は１００×Ｎ／（Ｎ＋１）という式から算出する。一方、受信した時刻情報がシステム時刻と一致せず、かつ前回受信した時刻情報と前回の時刻情報更新処理からの経過時間から算出した時刻が受信した時刻情報と一致しない場合は時刻情報の確度を０とする。また、受信した時刻情報はシステム情報と一致しないが、前回受信した時刻情報と前回の時刻情報更新処理からの経過時間から算出した時刻が取得した時刻情報と一致する場合、本状態が連続した回数をＭとして、時刻情報の確度は１００×Ｍ／（Ｍ＋１０）という式から算出する。
【００２０】
本発明の実施の形態２における時刻情報更新処理手順を図６に示す。時刻情報の抽出処理を開始してから、次の時刻情報抽出時のために経過時間計測開始を指示するまでの処理は図２に示した手順と同じである。システム時刻が未設定の場合（Ｓ２０４でＹｅｓの場合）は、システム時刻更新手段１０７によって時刻情報を更新（Ｓ２０５）した上で時刻情報の確度を５０に設定し、時刻情報履歴記録手段１０５に履歴を追加する（Ｓ２０６）。システム時刻が設定済み（Ｓ２０４でＮｏの場合）で、なおかつシステム時刻と抽出した時刻情報が一致している場合（Ｓ２０７でＹｅｓの場合）は、システム時刻更新手段１０７によって時刻情報を更新（Ｓ２０８）した上で時刻情報の確度を１００×Ｎ／（Ｎ＋１）に設定し、時刻情報履歴記録手段１０５に履歴を追加する（Ｓ２０９）。一方システム時刻と抽出した時刻情報が一致せず（Ｓ２０７でＮｏの場合）、なおかつ前回の時刻情報更新処理時に抽出した時刻情報と前回更新時からの経過時間から算出した時刻が今回の抽出時刻と一致しない場合（Ｓ２１０でＮｏの場合）はシステム時刻の更新は行わず、時刻情報の確度を０に設定し、時刻情報履歴記録手段１０５に履歴を追加する（Ｓ２１１）。また、システム時刻と抽出した時刻情報が一致しない（Ｓ２０７でＮｏの場合）が、前回の時刻情報更新処理時に抽出した時刻情報と前回更新時からの経過時間から算出した時刻が今回の抽出時刻と一致する場合（Ｓ２１０でＹｅｓの場合）は、時刻情報の確度を１００×Ｍ／（Ｍ＋１０）に設定し、時刻情報履歴記録手段１０５に履歴を追加する（Ｓ２１２）。さらにこのとき算出された確度がある一定値を超えた場合（Ｓ２１３でＹｅｓの場合）、システム時刻の更新を行う（Ｓ２１４）。
【００２１】
このように時刻情報の正確性を数値化することにより、実施の形態１に記載した方法よりもより正確な時刻情報を保つことが可能となる。
【００２２】
（実施の形態３）
本発明の実施の形態３における放送受信装置の時刻情報更新処理の例を図７に示す。時刻情報を抽出してから、システム時刻未設定時に時刻情報を設定して時刻情報履歴管理手段１０５の履歴を更新するまでの処理は図３および図６と同じである。システム時刻が設定済み（Ｓ３０４でＮｏの場合）で、抽出された時刻情報とシステム情報が一致する場合（Ｓ３０７でＹｅｓの場合）、および、抽出した時刻情報とシステム情報は一致しない（Ｓ３０７でＮｏの場合）が、当該放送局の最終時刻情報抽出時刻と最終抽出時からの経過時間から算出した時刻が今回の抽出時刻と一致する場合（Ｓ３０９でＹｅｓの場合）、時刻情報履歴管理手段１０５から各放送局の時刻情報履歴を、経過時間測定手段１０４から各放送局の最終時刻抽出時からの経過時間を、それぞれ取得する。最終抽出時刻と最終抽出時からの経過時間を放送局ごとに計算し、今回抽出した時刻と一致するかどうかを確認する。このとき、最終抽出時刻情報が信頼できない、あるいは確度が一定値以下の放送局は除外する。最終抽出時刻情報が信頼できる放送局の数をＱ、上記手段で算出した時刻が今回抽出した時刻と一致する放送局の数をＰとし、従来の方法で算出した確度に（Ｐ／Ｑ）をかけた値を最終的な確度とする。この最終的な確度がある一定値以上の場合（Ｓ３１２でＹｅｓの場合）に時刻情報の更新を行う。
【００２３】
このように、他の放送局の情報も含めた確度の計算を行うことにより、実施の形態１および実施の形態２に記載した方法よりもより正確な時刻情報を保つことが可能となる。
【産業上の利用可能性】
【００２４】
本発明にかかる放送受信装置は、放送局が誤った時刻情報を送信した場合にも正しい時刻情報を保つ仕組みを提供し、録画予約などの時刻情報を利用する各種機能をより正確に運用することを可能とするものであり、デジタル放送を受信する放送受信装置等において有用である。
【図面の簡単な説明】
【００２５】
【図１】本発明による放送受信装置の構成を示すブロック図
【図２】本発明の一実施の形態における時刻情報履歴記録手段が持つ情報を示す図
【図３】本発明の一実施の形態における時刻情報更新処理のフローチャート
【図４】本発明の一実施の形態における履歴情報の更新を示す図
【図５】本発明の他の実施の形態における時刻情報履歴記録手段が持つ情報を示す図
【図６】本発明の他の実施の形態における時刻情報更新処理のフローチャート
【図７】本発明のその他の実施の形態における時刻情報更新処理のフローチャート
【符号の説明】
【００２６】
１００    放送受信装置
１０１    放送信号受信手段
１０２    時刻情報抽出手段
１０３    システム時刻管理手段
１０４    経過時間測定手段
１０５    時刻情報履歴管理手段
１０６    時刻情報確度判定手段
１０７    システム時刻更新手段
【図１】
2008128801.tif 000003
【図２】
2008128801.tif 000004
【図３】
2008128801.tif 000005
【図４】
2008128801.tif 000006
【図５】
2008128801.tif 000007
【図６】
2008128801.tif 000008
【図７】
2008128801.tif 000009